(57)【特許請求の範囲】
【請求項１】
動画映像の再生を指示するため複数のキーを備える操作子と、
前記操作子に対して所定の操作をする毎に、前記動画映像の再生を所定間隔飛ばして再生させるスキップ再生手段と有し、
前記動画映像の全再生時間に基づいて、前記スキップ再生手段が飛ばす間隔を切り替える再生制御手段とを具備したことを特徴とする再生装置。
【請求項２】
前記操作子は、前記動画映像の再生を所定間隔飛ばして再生させるダイヤルキーと方向キーとを備え、
前記再生制御手段は、前記ダイヤルキーの回転角に基づき前記スキップ再生手段が飛ばす間隔を切り替え、前記方向キーの押下及び前記動画映像の全再生時間に基づき前記スキップ再生手段が飛ばす間隔を切り替える、
ことを特徴とする請求項１に記載の再生装置。
【請求項３】
前記再生制御手段は、前記動画映像の全再生時間の１／ｎ（ｎ：自然数）間隔で、前記スキップ再生手段が飛ばす間隔を切り替える、
ことを特徴とする請求項１に記載の再生装置。
【請求項４】
前記再生制御手段は、現在の再生位置を基準として、前記動画映像の全再生時間の１／ｎ（ｎ：自然数）間隔で、前記スキップ再生手段が飛ばす間隔を切り替える、
ことを特徴とする請求項１に記載の再生装置。
【請求項５】
前記再生制御手段は、前記動画映像の全再生時間が所定時間未満であることに基づき、前記動画映像の全再生時間の１／ｍ（ｍ：自然数、ｍ＜ｎ）間隔で、前記スキップ再生手段が飛ばす間隔を切り替える、
ことを特徴とする請求項３に記載の再生装置。
【請求項６】
前記再生制御手段は、前記動画映像の全再生時間が所定時間未満であることに基づき、現在の再生位置を基準として、前記動画映像の全再生時間の１／ｍ（ｍ：自然数、ｍ＜ｎ）間隔で、前記スキップ再生手段が飛ばす間隔を切り替える、
ことを特徴とする請求項３に記載の再生装置。
【請求項７】
前記操作子は、等倍速戻し再生を指示し、
前記再生制御手段は、前記操作子の等倍速戻し再生の指示に基づき前記動画映像の等倍速戻し再生を制御し、この等倍速戻し再生中における前記操作子の所定間隔飛ばし再生の指示に基づき前記動画映像の全再生時間の１／ｎ（ｎ：自然数）間隔で、前記スキップ再生手段が飛ばす間隔を切り替える、
ことを特徴とする請求項１に記載の再生装置。
【請求項８】
前記操作子は、一時停止を指示し、
前記再生制御手段は、前記操作子の一時停止の指示に基づき前記動画映像の再生の一時停止を制御し、この一時停止中における前記操作子の所定間隔飛ばし再生の指示に基づき前記動画映像の全再生時間の１／ｎ（ｎ：自然数）間隔で、前記スキップ再生手段が飛ばす間隔を切り替える、
ことを特徴とする請求項１に記載の再生装置。
【請求項９】
前記操作子は、コマ送り再生を指示し、
前記再生制御手段は、前記操作子のコマ送り再生の指示に基づき前記動画映像のコマ送り再生を制御し、このコマ送り再生中における前記操作子の所定間隔飛ばし再生の指示に基づき前記動画映像の全再生時間の１／ｎ（ｎ：自然数）間隔で、前記スキップ再生手段が飛ばす間隔を切り替える、
ことを特徴とする請求項１に記載の再生装置。
【請求項１０】
前記再生制御手段は、前記動画映像の末尾又は先頭を限界として、前記操作子の所定間隔飛ばし再生の指示に基づき、前記動画映像の全再生時間の１／ｎ（ｎ：自然数）間隔で、前記スキップ再生手段が飛ばす間隔を切り替える、
ことを特徴とする請求項１に記載の再生装置。
【請求項１１】
前記再生制御手段は、前記操作子の所定間隔飛ばし再生の連続指示に基づき、前記動画映像の全再生時間の１／ｎ（ｎ：自然数）間隔で、前記スキップ再生手段が飛ばす間隔を連続して切り替える、
ことを特徴とする請求項１に記載の再生装置。
【請求項１２】
動画映像の再生を指示するため複数のキーを備える操作子と、
前記操作子に対して所定の操作をする毎に、前記動画映像の再生を所定間隔飛ばして再生させるスキップ再生手段と有し、
前記動画映像の全再生時間に基づいて、前記スキップ再生手段が飛ばす間隔を切り替える再生制御手段とを具備し、
前記操作子は、前記動画映像の再生を所定間隔飛ばして再生させるダイヤルキーを備え、
前記再生制御手段は、前記ダイヤルキーの回転角及び前記動画映像の全再生時間に基づき前記スキップ再生手段が飛ばす間隔を切り替える、
ことを特徴とする再生装置。
【発明の詳細な説明】
【技術分野】
【０００１】
本発明は、静止画及び動画を撮影する撮影装置に関する。
【背景技術】
【０００２】
近年、多機能なデジタルスチルカメラやデジタルビデオカメラなどのデジタル機器の普及が目覚しい。このような多機能なデジタル機器の操作性向上に関する各種提案がなされている。例えば、ダイヤルの回転角度による再生速度制御に関する技術が提案されている（特許文献１参照）。
【特許文献１】特開２０００−１１５７０７
【発明の開示】
【発明が解決しようとする課題】
【０００３】
しかしながら、上記提案による再生速度制御は、必ずしも使い勝手の良いものではない。単に、ダイヤルの回転角度により再生速度を制御するため、極端に再生時間が長い映像についてはこの映像の最初から最後までの早送り又は早戻しに要する時間が非常に長くなり、極端に再生時間が短い映像についてはこの映像の最初から最後までの早送り又は早戻しに要する時間が非常に短くなるなど、操作性に問題があった。
【０００４】
本発明の目的は、上記課題を解決するためになされたものであり、簡単操作で使い勝手の良い再生装置を提供することにある。
【課題を解決するための手段】
【０００５】
この発明の再生装置は、以下のように構成されている。
【０００６】
この発明の再生装置は、動画映像の再生を指示するため複数のキーを備える操作子と、前記操作子に対して所定の操作をする毎に、前記動画映像の再生を所定間隔飛ばして再生させるスキップ再生手段と有し、前記動画映像の全再生時間に基づいて、前記スキップ再生手段が飛ばす間隔を切り替える再生制御手段とを具備している。
【発明の効果】
【０００７】
本発明によれば、簡単操作で使い勝手の良い再生装置を提供できる。
【発明を実施するための最良の形態】
【０００８】
以下、図面を参照し、本発明の実施形態について説明する。
【０００９】
図１及び図２は、この発明の映像撮影装置の一例を示す図である。図１は、映像撮影装置を構成する本体に設けられた収納部に対して表示部を収納した状態を示す図である。図２は、表示部に表示される映像を視認可能な状態にした様子を示す図である。
【００１０】
図１及び図２に示すように、映像撮影装置は、本体１を備えており、この本体１は、レンズ２、フラッシュ３、静止画レコードボタン４、表示部５、動画レコードボタン６、ジョグダイヤル７、十字キー８、メニューボタン９、ズームバー１０、モードレバー１１、パワーボタン１２などを備えている。
【００１１】
さらに、本体１は、収納部２１を備えており、この収納部２１に、表示部５を収納することができる。表示部５は、可動自在に構成されており、収納部２１から取り出して、表示面を任意の角度に調整することができる。表示部５は、ＬＣＤ（液晶ディスプレイ）５１及びスピーカー５２を備えている。
【００１２】
図３は、ジョグダイヤル及び決定ボタンの詳細を説明するための図である。
【００１３】
図３に示すように、ジョグダイヤル７は、円環状に構成されている。このジョグダイヤル７は、右方向及び左方向に回転可能な構成となっている。なお、このジョグダイヤル７は、円環状だけに限定されるものではなく、指が引っ掛かりやすいように多角形の環状であってもよい。
【００１４】
さらにこのジョグダイヤル７の内側には、円形の十字キー８が配置されている。十字キー８は、中心位置にＯＫキー８１、上位置にＵＰキー８２、下位置にＤＯＷＮキー８３、右位置に右キー（方向キー）８４、左位置に左キー（方向キー）８５を備えている。
【００１５】
図４は、図１〜図３を参照して説明した映像撮影装置の概略構成を示すブロック図である。
【００１６】
図４に示すように、映像撮影装置は、ＣＣＤ１０１、信号処理回路１０２、エンコーダ（ＪＰＥＧ／ＭＰＥＧ）１０３、メモリ１０４、ＨＤＤ１０５、メモリカード１０６、デコーダ１０７、ＬＣＤドライバ１０８、ＬＣＤ５１、ＬＡＮコントローラ１１０、ＵＳＢコントローラ１１１、ＬＡＮ端子１１２、ＵＳＢ端子１１３、ＣＰＵ１１４などを備えている。これらは、バス１１５を介して接続されている。
【００１７】
静止画レコードボタン４の操作に対応して、ＣＣＤ１０１は、レンズ２を介して得られる光（静止画像）を電気信号に変換する。或いは、動画レコードボタン６の操作に対応して、ＣＣＤ１０１は、レンズ２を介して得られる光（動画像）を電気信号に変換する。信号処理回路１０２は、ＣＣＤ１０１から出力される電気信号をデジタル信号へ変換する。エンコーダ１０３は、静止画像のデジタル信号をＪＰＥＧに準拠した画像信号へエンコードする。或いは、エンコーダ１０３は、動画像のデジタル信号をＭＰＥＧに準拠した画像信号へエンコードする。ＨＤＤ１０５は、メモリ１０４を介して提供される画像信号を記憶する。着脱可能なメモリカード１０６も、同様に、メモリ１０４を介して提供される画像信号を記憶する。デコーダ１０７は、メモリを介して提供される画像信号をデコードする。ＬＣＤドライバ１０８は、デコードされた画像信号に基づきＬＣＤ５１の駆動を制御し、液晶ディスプレイ上に画像信号を出力する。
【００１８】
記録済み画像の再生時には、デコーダ１０７は、ＨＤＤ１０５又はメモリカード１０６からメモリ１０４を介して提供される画像信号をデコードする。ＬＣＤドライバ１０８は、デコードされた画像信号に基づきＬＣＤ５１の駆動を制御し、ＬＣＤ５１上に画像信号を出力する。
【００１９】
ＨＤＤ１０５又はメモリカード１０６に記録された画像を外部機器（ＰＣ等）に対して転送したり、或いは画像を外部機器から受信したりする場合は、ＵＳＢコントローラ１１１を介してＵＳＢ端子１１３から送受信する。また、ＰＣ等の外部機器を介さずに、例えばＤＶＤレコーダのような画像記録再生装置に対して、直接、エンコードされた画像を送受信することもできる。
【００２０】
一般に、ＤＶＤレコーダに画像を転送するときは、エンコードされた動画像を送信側（映像撮影装置側）でデコードし、ビデオ端子やＳ端子からアナログ出力し、受信側（画像記録再生装置側）でアナログ信号を再エンコードして保存する。この方法では、例えば１時間記録した画像をＤＶＤ等に記録するのに１時間かかる。
【００２１】
しかし、この映像撮影装置では、上記したように、エンコードした画像を、そのままストリーミングとしてネットワーク経由で画像記録再生装置に転送することができる。これにより、エンコード時の圧縮率にも依存するが、実記録時間の１／１０以下の転送時間を達成できる。しかも、画質については、再エンコードしないため高画質の状態を維持できる。例えば、実記録時間の１／１０程度の転送時間で済む場合には、１時間記録した動画像は、約６分程度で他の記録媒体へ記録することができる。ネットワークとしてＬＡＮを考えた場合、ＬＡＮコントローラ１１０を介してＬＡＮ端子１１２により画像データを送受信する。なお、転送の対象となるデータは、動画や静止画だけでなく、音声データでもよい。
【００２２】
ここで、図５を参照して、再生操作について説明する。モードレバー１１により再生モードが選択されると、表示部に再生項目（例えば動画のサムネイル）が一覧表示される。ジョグダイヤル７により再生項目が選択し、十字キー８（ＵＰキー８２）により再生開始が指示される。
【００２３】
動画再生には次のようなものがあり、これらの再生操作は図５に示す通りである。
【００２４】
１、通常再生（等倍速再生）
２、逆再生（逆等倍速再生）
３、通常再生より早い高速再生（早送り、ワンタッチスキップなど）
４、逆再生より早い高速逆再生（早戻し、ワンタッチリプレイなど）
５、コマ送り再生
６、コマ戻し再生
なお、逆再生、高速再生、高速逆再生、コマ送り再生、コマ戻し再生を、総称してトリック再生と呼ぶ。上記した映像撮影装置は、ＨＤＤ１０５またはメモリカード１０６などのランダムアクセス可能なメディアから画像データを読み出すため、見たい画像を簡単高速にサーチすることができる。
【００２５】
ジョグダイヤル７の回転に対応して、ジョグダイヤル７は、システム全体を制御するＣＰＵ１１４に対して、回転量（回転角）及び回転方向の情報を出力する。例えば、ジョグダイヤル７は、一定の回転角度に応じたパルスを出力する。例えば、ジョグダイヤル７がｎ度回転すると、ジョグダイヤル７は１パルスを出力する。ＣＰＵ１１４は、単位時間あたりのパルス数をカウントし、単位時間あたりの回転角（回転速度）を演算する。以上により、ＣＰＵ１１４は、例えば再生モード実行中に、ジョグダイヤル７の回転量（回転角）、回転方向、回転速度等の回転情報を取得し、この回転情報に基づき再生動作を制御する。十字キー８は、ＣＰＵ１１４に対して、中心位置のＯＫキー８１の押下、上位置のＵＰキー８２の押下、下位置のＤＯＷＮキー８３の押下、右位置の右キー８４の押下、左位置の左キー８５の押下を伝える。ＣＰＵ１１４は、例えば再生モード実行中に、十字キー８における各押下に基づき再生動作を制御する。
【００２６】
図５から分かるように、動画再生時にジョグダイヤル７を回転させることにより、再生速度を細かく可変することができる。ところが、長時間撮影した画像を再生するとき、今見ている画像から見たい画像までの時間が長い場合、最高速再生しても見たい画像に到達するまでに比較的長い時間が必要となる。例えば、１５倍速で３０分先の画像に到達するのに約２分必要となる。また、高速再生しているときに、次のファイルが数１０秒程度の短い動画ファイルであると、この動画ファイルの再生は一瞬で終了してしまい、さらに次のファイルの再生が始まってしまう。
【００２７】
そこで、ＣＰＵ１１４は、以下の二通りの再生を制御する。
【００２８】
再生制御１：ジョグダイヤル７の回転角に基づき、映像の先送り量又は後戻し量を制御した上で（動画映像のスキップ間隔を切り替えた上で）、早送り再生又は早戻し再生を制御する。
【００２９】
再生制御２：十字キー８の右キー８４又は左キー８５の押下と再生対象の映像の再生時間の長短とに基づき、映像の先送り量又は後戻し量を制御した上で（動画映像のスキップ間隔を切り替えた上で）、早送り再生又は早戻し再生を制御する。例えば、１ファイルの映像の再生時間の１／ｎ（ｎ：自然数）ステップずつ映像を先送り又は後戻しする。
【００３０】
後者の再生制御により、長時間撮影した画像を再生するとき、今見ている画像から見たい画像までの時間が長くても、短時間でその見たい画像を探すことができる。或いは、短時間撮影した画像を再生するとき、今見ている画像から見たい画像までの時間が短くても、見たい画像を飛び越えることなく、見たい画像を探すことができる。
【００３１】
また、ＣＰＵ１１４は、動画ファイルの再生時間に基づき、ジョグダイヤル１１５による高速再生速度を可変制御するようにしてもよい。例えば、ＣＰＵ１１４の高速再生速度の可変制御により、所定時間未満の動画ファイル（例えば数１０秒程度の動画ファイル）の高速再生速度は比較的遅く、所定時間以上の動画ファイルの高速再生速度は比較的速くなる。
【００３２】
図６は、１つのＭＰＥＧ動画ファイルのデータ構造の一例を示す図である。ＭＰＥＧ動画ファイルは、ヘッダ２０１及びビデオオブジェクト２０２により構成されている。ヘッダ２０１は、ビデオオブジェクト２０２に関する情報を含む。ビデオオブジェクト２０２は、ＭＰＥＧにより圧縮されたデータから成る複数個のＶＯＢＵ(Video Object Block Unit）を含む。ＶＯＢＵの数は、撮影時間に比例する。ＶＯＢＵは、０．５秒分の撮影圧縮データ、つまりＧＯＰ（Group Of Picture）１つ分と多くのヘッダ情報を持つ。例えば、１０分の撮影では、１０分×６０秒／０．５＝１２００個のＧＯＰが作られる。ヘッダ２０１はＶＯＢＵ＿ＥＮＴ情報を含み、このＶＯＢＵ＿ＥＮＴ情報は各ＶＯＢＵのサイズを記録している。例えば、１２００個のＧＯＰを含むビデオオブジェクト２０２のヘッダ２０１は、１２００個のＧＯＰ各々の分のサイズ情報を記録している。
【００３３】
図７は、ＣＰＵ１１４による再生制御を示すフローチャートである。先ず、ＶＯＢＵ＿ＥＮＴ情報からファイル全体のＧＯＰ数（Ｔ）を取得する（ＳＴ３０１）。次に、ファイル全体を２０（ｎ＝２０）等分したＧＯＰ数（ｓ＝Ｔ／２０）を取得する（ＳＴ３０２）。図９は、ファイルの長さを１／２０に分けたときのＧＯＰ数を示している。このとき、撮影時間が２００秒以下と短い場合はｓ＝１０として固定する、あるいは短さに反比例してｓを大きくする（ＳＴ３０３、ＳＴ３０４）。つまり、短いファイルの再生時に、このファイルの１／２０時間ずつスキップすると、スキップ間隔が極めて短くなり、使いにくいものになってしまう。ジョグダイヤル７による高速再生の方が早い。よって、短いファイル（再生時間が所定時間未満のファイル）の再生時には、ｓを固定或いはファイルの短さに反比例してｓを大きくして、最後まで再生する（ＳＴ３０５、ＳＴ３０６）。これにより、本機能を使いやすくすることができる。
【００３４】
図８は、ＣＰＵ１１４による１／ｎ（ｎ：自然数、例えばｎ＝２０）スキップ再生制御を示すフローチャートである。なお、上記したように、短いファイル（再生時間が所定時間未満のファイル）の再生時には、ｓを固定或いはファイルの短さに反比例してｓを大きくするので、１／ｍ（ｍ：自然数、ｍ＜ｎ）スキップ再生制御となる。この再生制御は、十字キー８の右キー８４又は左キー８５の操作入力に対応して実行される。先ず、再生中のＧＯＰが先頭から何番目かを計算する。これはＭＰＥＧのデコードのタイムコードから時間を取得し、１ＧＯＰ＝０．５ｓから計算により求めることができる。これを第ｋ番目とする（ＳＴ４０１）。左キー８５の操作入力であれば後戻し（ＳＴ４０２、左）、右キー８４による操作入力であれば先送り（ＳＴ４０２、右）となる。後戻しのときはｋ−ｓ番目のＧＯＰを、先送りのときはｋ＋ｓ番目のＧＯＰにスキップする（ＳＴ４０３、ＳＴ４０４）。ただし、後戻しのときｋ−ｓが１以下のときは先頭ＧＯＰへスキップし、先送りのときｋ＋ｓが全体のＧＯＰ数Ｔより大きいときは最後のＧＯＰへスキップする（ＳＴ４０５、ＳＴ４０６）。つまり、映像の末尾又は先頭を限界として、１／２０スキップ再生が制御される。そして、先頭から何番目のＧＯＰにスキップすればよいか分かれば、図６に示すＶＯＢＵ＿ＥＮＴ情報から位置を取得してスキップする（ＳＴ４０７、ＳＴ４０８、ＳＴ４０９、ＳＴ４１０）。図１０は、右キー８４又は左キー８５による操作入力に対するスキップ先（ＧＯＰ位置）を示す図である。
【００３５】
なお、この１／２０スキップは逆再生、高速再生、高速逆再生、コマ送り再生、コマ戻し再生などのトリック再生時にも有効である。さらに、右キー８４又は左キー８５の連続押しの間、１／２０ずつ連続して先送り又は後戻しされる。
【００３６】
次に、図１１を参照して、別の実施形態について説明する。図１１は、ジョグダイヤル７の回転角に基づく高速再生中に、数１０秒程度の短い動画ファイルの再生が一瞬で終わるのを防ぐためのファイル長に応じた再生制御を説明するための図である。図１１に示すように、第１、第２、第３のファイルを連続して高速再生している状況において、第２のファイルは１０数秒と短いファイルであると仮定する。ファイル長に応じた再生制御を適用しないと、図１１の（ａ）に示すように、第２のファイルは数コマ（例では２コマ）しか再生されない。これに対して、ファイル長に応じた再生制御を適用すれば、短時間ファイルの再生速度を遅くすることができる。その結果、図１１の（ｂ）に示すように、第２のファイルについても多くのコマ（例では４コマ）が再生される。つまり、図６に示すＶＯＢＵ＿ＥＮＴ情報から全体の撮影時間を検出し、短時間の動画ファイルであれば、高速再生の速度を一律に遅く或いはファイル長に反比例して遅くする。つまり、ＣＰＵ１１４は、ジョグダイヤル７の回転角と再生対象の映像の再生時間の長短とに基づき、映像の先送り量又は後戻し量を制御した上で、早送り再生又は早戻し再生を制御する。
【００３７】
以上により、以下の作用効果が得られる。
【００３８】
１５倍速などの高速早送り又は早戻しでは、動画像の再生時間が長ければ長いほど、見たい場面へ到達するのに長時間が必要であった。同様に、１５倍速などの高速早送り又は早戻しでは、動画像の再生時間が短ければ短いほど、見たい場面を飛ばしてしまう可能性があった。本発明によれば、動画像の再生時間に関係なく、動画像の再生時間の１／ｎステップで早送り又は早戻しが可能となり、見たい場面への到達時間を短くできる。また、短時間の動画像については、１／ｍ（ｍ＜ｎ）ステップで早送り又は早戻しが可能となり、見たい場面を逃すことなく、見たい場面へ到達することができる。さらに、短時間の動画像については、ジョグダイヤル７による高速再生速度も低速化される。これにより、視認性に優れた適度な高速再生を提供することが可能となる。
【００３９】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４０】
【図１】映像撮影装置を構成する本体に設けられた収納部に対して表示部を収納した状態の一例を示す図である。
【図２】映像撮影装置を構成する本体に設けられた収納部に対して表示部を収納した状態の一例を示す図である。
【図３】ジョグダイヤル及び決定ボタンの一例を説明するための図である。
【図４】図１〜図３を参照して説明した映像撮影装置の概略構成の一例を示すブロック図である。
【図５】複数の再生操作の一例を説明するための図である。
【図６】１つのＭＰＥＧ動画ファイルのデータ構造の一例を示す図である。
【図７】再生制御の一例を示すフローチャートである。
【図８】１／２０スキップ再生制御の一例を示すフローチャートである。
【図９】ファイルの長さを１／２０に分けたときのＧＯＰ数を説明するための図である。
【図１０】右キー又は左キーによる操作入力に対するスキップ先（ＧＯＰ位置）を説明するための図である。
【図１１】ジョグダイヤルの回転角に基づく高速再生中に、数１０秒程度の短い動画ファイルの再生が一瞬で終わるのを防ぐためのファイル長に応じた再生制御を説明するための図である。
【符号の説明】
【００４１】
１…本体、２…レンズ、３…フラッシュ、４…シャッターボタン、５…表示部、６…動画レコードボタン、７…ジョグダイヤル（回転体）、８…十字キー、９…メニューボタン、１０…ズームバー、１１…モードレバー、１２…パワーボタン、２１…収納部、５１…ＬＣＤ、５２…スピーカー、１０１…ＣＣＤ、１０２…信号処理回路、１０３…エンコーダ、１０４…メモリ、１０５…ＨＤＤ、１０６…メモリカード、１０７…デコーダ、１０８…ＬＣＤドライバ、１１０…ＬＡＮコントローラ、１１１…ＵＳＢコントローラ、１１２…ＬＡＮ端子、１１３…ＵＳＢ端子、１１４…ＣＰＵ、１１５…バス
【図１】
0004621571.tif 000002
【図２】
0004621571.tif 000003
【図３】
0004621571.tif 000004
【図４】
0004621571.tif 000005
【図５】
0004621571.tif 000006
【図６】
0004621571.tif 000007
【図７】
0004621571.tif 000008
【図８】
0004621571.tif 000009
【図９】
0004621571.tif 000010
【図１０】
0004621571.tif 000011
【図１１】
0004621571.tif 000012